(57)【要約】  対向する第一、第二端部を備え、水泳者の前腕背面上に設けられる細長い弾性部材と、この第一端部を水泳者の手またはリスト近くの腕の先端部に装着する第一装着手段と、この第二端部を水泳者の肘近くの腕の中間部に装着する第二装着手段を有する水泳時に使用される道具。この道具は、振動し、前腕の背面側上に渦を生成し、水泳者は生成された渦を最大化するためにそのストロークを修正することができ、正しいストローク技術を促進することができる。
2009536838.tif 000002
【特許請求の範囲】
【請求項１】
対向する第一および第二端部を備えると共に水泳者の腕の前腕背面上に設けられる細長い弾性部材と、この第一端部を水泳者の手またはリスト近くの腕の先端部に装着する第一装着手段と、この第二端部を水泳者の肘近くの腕の中間部に装着する第二装着手段を有する水泳時に使用される道具。
【請求項２】
前記第一装着手段はこの第一端部を水泳者の指関節近くの手に装着し、且つ手がリスト部で前腕の外方に向かって曲がるように付勢する付勢手段を供給することを特徴とする請求項１に記載の道具。
【請求項３】
前記細長い弾性部材と前記前腕背面間に位置し、この細長い弾性部材とこの前腕背面間に間隙を維持する１つまたは複数のスペーサー部材をさらに有することを特徴とする前記請求項のいずれかに記載の道具。
【請求項４】
前記第一装着手段または前記第二装着手段は弾性材からなるループであることを特徴とする前記請求項のいずれかに記載の道具。
【請求項５】
前記弾性部材は、前記第一装着手段と前記第二装着手段がそれぞれの端部で一体的に形成されてなる無限ループの形であることを特徴とする前記請求項のいずれかに記載の道具。
【発明の詳細な説明】
【技術分野】
【０００１】
本発明は、水泳時、例えばコーチングや訓練補助として使用される道具に関する。
【背景技術】
【０００２】
水泳ストローク技術の上達を援助するために使用される道具を始めとして、水泳時に使用される多くの道具が開発されている。そのような道具の１つとしてハンドパドルがあり、これは水泳者の手に装着され、水泳者の手のひらと指の上に伸びる平面を有している。この道具によれば、手の表面積が増加してストロークの推進力が増加する。
【発明の概要】
【発明が解決しようとする課題】
【０００３】
しかしながら、この道具は、肘やリストを、ストローク力を減少させ、不利な形態を促進してしまうように曲げさせる欠点を有している。さらにこの道具は、パドルを使わない場合の水泳と比べると水泳者が違う水泳リズムを感じてしまうようなストロークを招いてしまう。またフリースタイル以外のスイミングストロークで使用すると実際には邪魔になる。
【課題を解決するための手段】
【０００４】
本発明の第一の形態は、対向する第一および第二端部を備えると共に水泳者の腕の前腕背面上に設けられる細長い弾性部材と、この第一端部を水泳者の手またはリスト近くの腕の先端部に装着する第一装着手段と、この第二端部を水泳者の肘近くの腕の中間部に装着する第二装着手段を有する水泳時に使用される道具を供給する。
【０００５】
好ましくは、前記第一装着手段は、この第一端部を水泳者の指関節近くの手に装着し、且つ手がリスト部で前腕外方に向かって曲がるように付勢する付勢手段を供給する。
【０００６】
好ましくは、この道具は、前記細長い弾性部材と前記前腕背面間に位置し、この細長い弾性部材とこの前腕背面間に間隙を維持する１つまたは複数のスペーサー部材をさらに有することを特徴とする。
【０００７】
前記第一装着手段または前記第二装着手段は弾性材からなるループであってもよい。好ましくは、前記弾性部材は、前記第一装着手段と前記第二装着手段がそれぞれの端部で一体的に形成されてなる無限ループの形である。
【図面の簡単な説明】
【０００８】
【図１】本発明の好ましい実施の形態の斜視図である。
【図２】前腕上に設けられた、図１の道具の図である。
【図３】図２に示された道具の側面図である。
【発明を実施するための形態】
【０００９】
本発明の好ましい実施の形態では、図１に例示されるように水泳時に使用される道具は１つまたは複数のゴム製の、弾性を有するチューブから構成される。
【００１０】
このゴム製チューブは、図２に例示されるように水泳者の前腕背面上に設けられた弾性部材２であり、第一端部４と第二端部６を備える。この第一端部４は、弾性材のループの形態で第一装着手段８に結合する。このループ８は、前記弾性部材２と同一の材質で形成される。同様にこの第二端部６は第二装着手段を構成するゴム製ループ１０に装着される。この第一装着手段８と第二装着手段１０は前記弾性部材２と一体的に形成され、無限ループを構成する。
【００１１】
ループ８と第一端部４間とループ１０と第二端部６間には、スペーサー部材１２が１つまたは複数の、小さいゴム製パッドの形態で設けられる。これらのパッド１２によって、弾性部材２は、図３に例示されるように水泳者の前腕部から離間することができる。このため、この道具を支持する前腕が水中で動作するとき、弾性部材２はより自由に振動することが可能である。
【００１２】
弾性部材２が水泳者の前腕背面に沿って伸びるように、水泳者の肘まわりにゴム製ループ１０を引っ掛け、その指まわりにゴム製ループ８を引っ掛ける水泳者によって本発明の好ましい実施の形態が使用される。ゴム製ループ８は、水泳者の指関節の近くの水泳者の指まわりに装着される。
【００１３】
作用について説明すると、水泳者が通常水泳ストロークを行うと、水泳者の前腕を横切って流れる水によって細長い部材が振動して前腕の背面側の渦が増加することになる。この渦を水泳者が感じて、生成した渦を最大化するためにそのストロークを修正することが出来る。この道具はまた水泳者の手がリスト部で外方向前腕に向かって後ろ側に曲がるように付勢する付勢力を供給するように働く。適切な形態を維持するために（それにより渦を最大化するため）、水泳者はこの付勢力に抗して動作しなければならず、そのためストロークのための適切なリスト姿勢を助成することができる。
【００１４】
本発明の好ましい実施の形態は、とりわけ以下の利点を供給する。
【００１５】
（ａ）水泳者のリスト姿勢は、ストローク技術に悪影響を与えないように制御される。
【００１６】
（ｂ）正しいストローク技術がストロークの流れを邪魔せずに促進される。
【００１７】
（ｃ）この道具の使用により、水泳者はより多くのエネルギーを発揮することができ、推進筋肉の力を促進し、水泳者の心臓脈管系を調整することができる。
【００１８】
本明細書を通して使用される、“構成する”という用語とその派生語、“有する(複数形)”または“備えている・・”は記述されている要素、整数値、工程、または要素、整数値、工程群を含むように解釈されるべきもので、その他の要素、整数値、工程、または要素群、整数値、工程群を排除することを意味するものではない。
【００１９】
本明細書に含まれた、文書、作動、材質、装置、または製品等の議論は、本発明を説明するためにのみ提供されたものである。これらの１つまたはすべてが、従来技術ベースの一部を構成すること、または本願の各請求項の優先権主張日前にオーストラリアまたはその他で存在したように、本発明に関連する分野に属する共通の一般知識であったとことを認定するものではない。
【００２０】
種々の修正および/または変更は、本発明の精神または範囲を逸脱することなく、特定の実施形態に示される発明に対して広く記述されものとしてなされることが出来ることは当業者によって認識されるものである。例えば、前記装着手段は細長い部材とは異なる材質で構成することができる。このため、本実施例はすべての点において、例示された、そしてそれに限定されないものとして解釈されるものとする。
【符号の説明】
【００２１】
２．弾性部材
４．第一端部
６．第二端部
８．第一装着手段
１０．第二装着手段
１２．スペーサー部材（パッド）
【図１】
2009536838.tif 000003
【図２】
2009536838.tif 000004
【図３】
2009536838.tif 000005
【国際調査報告】
2009536838.tif 000006
2009536838.tif 000007
2009536838.tif 000008